(57)【要約】 【課題】  利用者が所望する情報を、利用者に確実かつ容易に報知することができるデジタルラジオ放送受信装置、ラジオ放送受信ユニットおよびデジタルラジオ放送受信システムを提供する。【解決手段】  車速が０ｋｍ／ｈでかつフットブレーキまたはサイドブレーキがオン状態という条件を満たしているとき、つまり車両が停車または停止しているときは、記憶部７０に記憶されている文字情報が画像として表示装置１００に表示される。また車速が０ｋｍ／ｈでかつフットブレーキまたはサイドブレーキがオン状態という条件を満たしていないとき、つまり車両が走行しているときは、記憶部７０に記憶されている文字情報が音声として音声出力装置９０から出力される。【選択図】      図１
2009055487.tif 000002
【特許請求の範囲】
【請求項１】
車両に搭載されるデジタルラジオ放送受信装置であって、
音声情報および文字情報を含むデジタルラジオ放送信号を受信する受信手段と、
前記受信手段によって受信したデジタルラジオ放送信号に含まれる文字情報の中に、操作者によって設定された文字列が含まれているか否かを判断する判断手段と、
前記判断手段によって前記文字情報の中に前記設定された文字列が含まれていると判断したとき、前記文字情報を記憶する記憶手段と、
車両の走行状態に応じて、前記記憶手段に記憶される文字情報を画像として表示するように、外部に設けられる表示装置を制御するか、または前記記憶手段に記憶される文字情報を音声として出力するように、外部に設けられる音声出力装置を制御する制御手段とを備えることを特徴とするデジタルラジオ放送受信装置。
【請求項２】
前記記憶手段に記憶される文字情報の前記表示手段における表示位置、表示時間および表示手段の種別の設定が可能な設定手段をさらに備え、
前記設定手段によって、前記表示位置、表示時間および表示手段の種別のうちの少なくともいずれか１つが設定されたとき、前記制御手段は、前記設定手段による設定に基づいて、前記文字情報を画像として表示するように前記表示手段を制御することを特徴とする請求項１記載のデジタルラジオ放送受信装置。
【請求項３】
前記設定手段は、前記記憶手段に記憶される文字情報の前記表示手段における表示順序、および前記文字情報の前記音声出力手段における出力順序の設定が可能に構成され、
前記設定手段によって前記表示順序が設定されたとき、前記制御手段は、前記設定手段によって設定された表示順序に基づいて、前記記憶手段に記憶される文字情報を画像として表示するように前記表示手段を制御し、
前記設定手段によって前記出力順序が設定されたとき、前記制御手段は、前記設定手段によって設定された出力順序に基づいて、前記記憶手段に記憶される文字情報を音声として出力するように前記音声出力手段を制御することを特徴とする請求項２記載のデジタルラジオ放送受信装置。
【請求項４】
車両に搭載されるラジオ放送受信ユニットであって、
音声情報および文字情報を含むラジオ放送信号を受信する受信手段と、
前記受信手段によって受信したラジオ放送信号に含まれる文字情報を画像として表示する表示手段と、
前記受信手段によって受信したラジオ放送信号に含まれる文字情報の中に、操作者によって設定された文字列が含まれているか否かを判断する判断手段と、
前記判断手段によって前記文字情報の中に前記設定された文字列が含まれていると判断したとき、前記文字情報を記憶する記憶手段と、
車両の走行状態に応じて、前記記憶手段に記憶される文字情報を画像として表示するように前記表示手段を制御するか、または前記記憶手段に記憶される文字情報を音声として出力するように、外部に設けられる音声出力装置を制御する制御手段とを備えることを特徴とするラジオ放送受信ユニット。
【請求項５】
車両に搭載されるデジタルラジオ放送受信システムであって、
音声情報および文字情報を含むデジタルラジオ放送信号を受信する受信手段と、
前記受信手段によって受信したデジタルラジオ放送信号に含まれる音声情報および文字情報を音声として出力する音声出力手段と、
前記受信手段によって受信したデジタルラジオ放送信号に含まれる文字情報を画像として表示する表示手段と、
前記受信手段によって受信したデジタルラジオ放送信号に含まれる文字情報の中に、操作者によって設定された文字列が含まれているか否かを判断する判断手段と、
前記判断手段によって前記文字情報の中に前記設定された文字列が含まれていると判断したとき、前記文字情報を記憶する記憶手段と、
車両の走行状態に応じて、前記記憶手段に記憶される文字情報を画像として表示するように、前記表示手段を制御するか、または前記記憶手段に記憶される文字情報を音声として出力するように、前記音声出力手段を制御する制御手段とを備えることを特徴とするデジタルラジオ放送受信システム。
【発明の詳細な説明】
【技術分野】
【０００１】
本発明は、放送局から送信され、音声情報および文字情報を含むラジオ放送信号を受信可能なデジタルラジオ放送受信装置、ラジオ放送受信ユニットおよびデジタルラジオ放送受信システムに関する。
【背景技術】
【０００２】
テレビジョン放送では文字多重放送が実用化されており、ラジオ放送の分野でも、放送衛星を用いたデジタルラジオ放送が行われており、これに引き続いて地上波によるデジタルラジオ放送が計画され、既に実用化試験放送が行われている。このようなデジタルラジオ放送では、音楽などの音声情報を高品質で伝送することができるとともに、番組に関連する文字情報および画像ファイルなどの番組付加情報を、音声情報に多重して放送することができる。
【０００３】
番組付加情報は、たとえば、番組を識別する情報、番組内容に関する情報および追加情報である。番組を識別する情報は、たとえば、サービスＩＤ（識別情報）、放送局名、番組名、番組カテゴリーなどの情報である。番組内容に関する情報は、音楽番組であれば、放送中の楽曲の音楽ジャンル、曲名、演奏者名などの情報である。追加情報は、たとえば、音楽番組であれば、番組で放送される曲の歌詞、番組に出演する演奏者のコンサートに関する事柄などを示す長文のテキストデータである。デジタルラジオ放送受信装置では、デジタルラジオ放送の番組を受信したとき、その番組の番組付加情報を表示部に表示する。
【０００４】
第１の従来の技術のデータ放送表示装置では、放送された文字データを文字データ格納部に暫時格納し、文字パターンメモリに格納された予め想定した定型文字列と、文字データ格納部の文字列とを比較判別し、文字データに含まれる定型文字列を識別して、定型文字列をデータ変換手段で表示変換データに変換して画像表示手段に表示する（たとえば、特許文献１参照）。
【０００５】
第２の従来の技術の電子機器では、予めキーワードの文字列を設定し、受信したデータ放送のデータにキーワードの文字列が含まれている場合には、受信したデータ放送をサブディスプレイに表示させ、前記キーワードの文字列が含まれていない場合には、受信したデータ放送をメインディスプレイに表示させる（たとえば、特許文献２参照）。
【０００６】
第３の従来の技術のＦＭ多重放送受信機では、ＦＭ多重データの中の文字情報が表示部に表示されたとき、その表示された文字情報の中の一部の文字をキーワードとして指定したとき、その後に受信されたＦＭ多重放送信号のＦＭ多重データの中から、指定した文字を含んだ文字情報が抽出され、表示部に順次表示される（たとえば、特許文献３参照）。
【０００７】
第４の従来の技術の情報収集支援装置では、文字信号復調装置が、文字放送を含む文字多重変調信号を復調し、文字符号化装置が、復調された文字放送を符号化された文字列に変換する。画像または音声または文書の形式のデータは、データベース装置に格納し、データベース検索装置は、符号化された文字列とデータベース装置のデータとを比較して文字放送中のキーワードの位置情報を出力し、情報画面とは異なる検索画面に表示する（たとえば、特許文献４参照）。
【０００８】
第５の従来の技術のデータ放送画面分割表示システムでは、デジタル放送のリストをリスト表示画面に表示し、そのリストから選択した個別情報を独立して個別情報表示画面に表示する（たとえば、特許文献５参照）。
【０００９】
【特許文献１】特開２００１−１６５５３号公報
【特許文献２】特開２００５−１９１７０８号公報
【特許文献３】特開平８−８４０８６号公報
【特許文献４】特開平８−２９７６８０号公報
【特許文献５】特開２００２−１３５７３２号公報
【発明の開示】
【発明が解決しようとする課題】
【００１０】
前述の第１〜第５の従来の技術では、受信した文字情報を単に表示するだけで、一度文字情報を表示した後は、再度、同一の文字情報を表示するような構成にはなっていない。そのため、利用者は表示されている文字情報を見逃してしまうと、その見逃した文字情報を見ることができないという問題がある。また利用者は、受信した文字情報を見るために、受信した文字情報を表示させるための表示画面を切換える操作をしなければならず、利用者にとって前記操作が煩雑であるという問題がある。
【００１１】
さらに、デジタルラジオ放送受信装置が車両に搭載される場合、運転者が所望する情報を、運転者の運転操作の妨げにならないように、運転者に確実に報知することができるデジタルラジオ放送受信装置が要望されている。
【００１２】
本発明の目的は、利用者が所望する情報を、利用者に確実かつ容易に報知することができるデジタルラジオ放送受信装置、ラジオ放送受信ユニットおよびデジタルラジオ放送受信システムを提供することである。
【課題を解決するための手段】
【００１３】
本発明（１）に従えば、受信手段は、音声情報および文字情報を含むデジタルラジオ放送信号を受信する。判断手段は、受信手段によって受信したデジタルラジオ放送信号に含まれる文字情報の中に、操作者によって設定された文字列が含まれているか否かを判断する。記憶手段は、判断手段によって前記文字情報の中に前記設定された文字列が含まれていると判断したとき、前記文字情報を記憶する。制御手段は、車両の走行状態に応じて、記憶手段に記憶される文字情報を画像として表示するように、外部に設けられる表示装置を制御するか、または記憶手段に記憶される文字情報を音声として出力するように、外部に設けられる音声出力装置を制御する。
【００１４】
本発明（４）に従えば、受信手段は、音声情報および文字情報を含むラジオ放送信号を受信する。表示手段は、受信手段によって受信したラジオ放送信号に含まれる文字情報を画像として表示する。判断手段は、受信手段によって受信したラジオ放送信号に含まれる文字情報の中に、操作者によって設定された文字列が含まれているか否かを判断する。記憶手段は、判断手段によって前記文字情報の中に前記設定された文字列が含まれていると判断したとき、前記文字情報を記憶する。制御手段は、車両の走行状態に応じて、記憶手段に記憶される文字情報を画像として表示するように表示手段を制御するか、または記憶手段に記憶される文字情報を音声として出力するように、外部に設けられる音声出力装置を制御する。
【００１５】
本発明（５）に従えば、受信手段は、音声情報および文字情報を含むデジタルラジオ放送信号を受信する。音声出力手段は、受信手段によって受信したデジタルラジオ放送信号に含まれる音声情報および文字情報を音声として出力する。表示手段は、受信手段によって受信したデジタルラジオ放送信号に含まれる文字情報を画像として表示する。判断手段は、受信手段によって受信したデジタルラジオ放送信号に含まれる文字情報の中に、操作者によって設定された文字列が含まれているか否かを判断する。記憶手段は、判断手段によって前記文字情報の中に前記設定された文字列が含まれていると判断したとき、前記文字情報を記憶する。制御手段は、車両の走行状態に応じて、記憶手段に記憶される文字情報を画像として表示するように表示手段を制御するか、または記憶手段に記憶される文字情報を音声として出力するように音声出力手段を制御する。
【発明の効果】
【００１６】
本発明（１）によれば、車両の走行状態に応じて、記憶手段に記憶される文字情報が画像として、外部に設けられる表示装置によって表示されるか、または記憶手段に記憶される文字情報が音声として、外部に設けられる音声出力装置によって出力される。このように車両の走行状態に応じて、文字情報の報知の仕方を変えているので、利用者、たとえば車両の運転者の運転操作の妨げになることを防ぎつつ、運転者が所望する文字情報を、外部に設けられる表示装置または音声出力装置によって、運転者に確実かつ容易に報知することができる。
【００１７】
本発明（４）によれば、車両の走行状態に応じて、記憶手段に記憶される文字情報が画像として表示手段によって表示されるか、または記憶手段に記憶される文字情報が音声として、外部に設けられる音声出力装置によって出力される。このように車両の走行状態に応じて、文字情報の報知の仕方を変えているので、利用者、たとえば車両の運転者の運転操作の妨げになることを防ぎつつ、運転者が所望する文字情報を、表示手段または外部に設けられる音声出力装置によって、運転者に確実かつ容易に報知することができる。
【００１８】
本発明（５）によれば、車両の走行状態に応じて、記憶手段に記憶される文字情報が画像として表示手段によって表示されるか、または記憶手段に記憶される文字情報が音声として音声出力手段によって出力される。このように車両の走行状態に応じて、文字情報の報知の仕方を変えているので、利用者、たとえば車両の運転者の運転操作の妨げになることを防ぎつつ、運転者が所望する文字情報を、表示手段または音声出力手段によって、運転者に確実かつ容易に報知することができる。
【発明を実施するための最良の形態】
【００１９】
図１は、本発明の実施の一形態のデジタルラジオ放送受信システム３の電気的構成を示すブロック図である。デジタルラジオ放送受信システム（以下「受信システム」という場合がある）３は、デジタルラジオ放送受信装置（以下「受信装置」という場合がある）１、音声出力装置９０および表示装置１００を備えて構成される。ラジオ放送受信ユニット２は、受信装置１および表示装置１００を備えて構成される。
【００２０】
受信装置１は、放送設備を有する放送局から送信されるデジタルラジオ放送信号に含まれる音声情報および文字情報を抽出し、抽出した音声情報を、外部に設けられる音声出力装置９０から出力させる。また受信装置１は、抽出した文字情報を、外部に設けられる音声出力装置９０から音声として出力させるか、または表示装置１００に画像として表示させる。文字情報は、たとえば、天気、気温、株価、交通渋滞、ニュース、スポーツ、芸能、文化、芸術および科学技術に関するテキスト情報である。受信装置１は、たとえばＨＤ（High Definition)ラジオ受信機によって実現される。受信装置１は、たとえば車両などの移動体に搭載されて用いられる。
【００２１】
また受信装置１が、たとえば、地図などの画像を表示し、運転者を目的地に案内する機能を有するナビゲーション装置と一体に構成されている場合、コンパクトディスク（    Compact Disk：略称；ＣＤ）およびデジタル多機能ディスク（Digital Versatile Disk；略称：ＤＶＤ）などの記録媒体に記録されている音楽、静止画像および動画像などの情報を再生して表示することができる。また、ＣＤおよびＤＶＤ再生装置と受信装置１とが一体の場合、あるいは受信装置１単体の場合もあり、本発明は、いずれの場合でも適用可能である。
【００２２】
受信装置１は、アンテナ１０、前処理部２０、中間周波（Intermediate Frequency；略称：ＩＦ）フィルタ回路３０、デジタル信号処理部４０、ＩＢＯＣ（In Band on Channel）処理部５０、制御部６０、記憶部７０、操作部８０、音声出力装置９０および表示装置１００を備えて構成される。
【００２３】
前処理部２０は、同調回路２１、ＲＦ（Radio Frequency）増幅回路２２、ＲＦ−ＡＧＣ（Auto Gain Control）回路２３、第１混合回路２４、第１局所発振回路２５およびＰＬＬ（Phase Locked Loop）選局回路２６を備えて構成され、制御部６０によって制御される。同調回路２１は、アンテナ１０からの信号を受信する電子同調方式の同調回路によって実現される。ＲＦ増幅回路２２は、ＲＦ−ＡＧＣ回路２３によってゲイン調整がなされるように構成され、ＲＦ−ＡＧＣ回路２３からのＳレベル信号、つまり電界状態を示す信号が後述するＩＢＯＣ方式のデジタル放送搬送波の検出に利用される。
【００２４】
第１局所発振回路２５は、ＰＬＬシンセサイザ方式で、制御部６０から与えられる制御信号に応じてＰＬＬ選局回路２６から供給されるＰＬＬ制御信号に従い、所定の周波数ステップで第１局所発振信号を生成する。ＲＦ増幅回路２２で増幅された高周波の受信信号は、第１混合回路２４によって第１局所発振信号と混合されて中間周波数信号に変換され、ＩＦフィルタ回路３０に入力される。
【００２５】
ＩＦフィルタ回路３０は、約１００ｋＨｚの帯域幅を有するバンドパスフィルタ（Band Pass Filter；略称：ＢＰＦ）である狭帯域用フィルタ（以下「ＮＦ」という場合がある）３１と、約４００ｋＨｚの帯域幅を有するＢＰＦである広帯域用フィルタ（以下「ＷＦ」という場合がある）３２とを含み、制御部６０から与えられる制御信号によって切換制御される。ＮＦ３１およびＷＦ３２では、入力された中間周波数信号の中心周波数に対して所定の帯域に含まれる成分を抽出する。
【００２６】
デジタル信号処理部４０は、ＩＦ増幅回路４１、Ａ／Ｄ（アナログ／デジタル）変換回路４２、第２局所発振回路４３、第２混合回路４４、ＩＦプロセッサ回路（以下「ＩＦＰ回路」という場合がある）４５、ＩＦ−ＡＧＣ回路４６、切換回路４７およびＤ／Ａ（デジタル／アナログ）変換回路４８を備えて構成され、制御部６０によって制御される。
【００２７】
ＩＦフィルタ回路３０を通過した中間周波数信号は、ＩＦ増幅回路４１で増幅され、Ａ／Ｄ変換回路４２においてアナログ信号からデジタル信号に変換され、第２局所発振回路４３から出力される第２局所発振信号と第２混合回路４４において混合される。この混合された信号は、ＩＦＰ回路４５に入力される。ＩＦＰ回路４５は、アナログ放送搬送波用の復調器を兼用しており、信号がアナログ放送搬送波の場合には、デコードされた音声信号を切換回路４７に出力し、入力されたデジタル放送搬送波の信号はその信号をＩＢＯＣ処理部５０に出力する。また、ＩＦ増幅回路４１は、ＩＦ−ＡＧＣ回路４６によってゲイン調整がなされるように構成されている。
【００２８】
ＩＢＯＣ処理部５０は、復調部５１およびチャンネルデコーダ５２を備えて構成され、制御部６０によって制御される。復調部５１は、デジタル放送搬送波に含まれる直交周波数分割変調（Orthogonal Frequency Division Multiplexing；略称：ＯＦＤＭ）副搬送波を復調する機能を有している。復調された信号が音声信号の場合には、チャンネルデコーダ５２によって音声信号が生成され、切換回路４７に出力される。また、復調された信号にＳＩＳ（Station Information Service）情報、つまり文字情報および映像情報が含まれる場合には、不図示の専用デコーダによって文字情報および映像情報が生成され、後述する記憶部７０に記憶される。記憶部７０に記憶された映像情報は、制御部６０から与えられる制御信号に応じて、後述する表示装置１００に所定のタイミングで表示される。また記憶部７０に記憶された文字情報は、制御部６０から与えられる制御信号に応じて、後述する音声出力装置９０から所定のタイミングで出力されるか、または後述する表示装置１００に所定のタイミングで表示される。
【００２９】
制御部６０は、たとえば中央演算処理装置（Central Processing Unit；略称：ＣＰＵ）によって構成される処理回路である。制御部６０は、アナログ放送搬送波からデコードされた音声信号またはデジタル放送搬送波からデコードされた音声信号のうちいずれか一方を選択するように、切換回路４７を制御する。切換回路４７によって選択された音声信号は、Ｄ／Ａ変換回路４８によってアナログ信号に変換されて、たとえばスピーカによって実現される音声出力装置９０によって出力される。記憶部７０は、ＲＡＭ（Random    Access Memory）、ＲＯＭ（Read Only Memory）、およびフラッシュＲＯＭのうち少なくともいずれか１つを備えて構成される。記憶部７０は、受信装置１を動作させるための動作プログラムおよび予め定める演算処理プログラムを記憶する。記憶部７０は、文字情報の表示装置１００における予め定める表示位置、表示時間および表示装置１００の種別を含む情報（以下「設定情報」という場合がある）を記憶する。表示装置１００の種別とは、表示装置１００のサイズ種別であり、自動車に搭載される場合、たとえば幅寸法が１７８ｍｍ、高さ寸法が５０ｍｍである１ＤＩＮサイズ、および前記表示装置１００の幅寸法が１７８ｍｍ、高さ寸法が１００ｍｍである２ＤＩＮサイズである。
【００３０】
操作部８０は、利用者が入力操作する複数の操作ボタン、たとえばチューニング用、ボリューム設定用などの操作ボタンを有する。操作部８０は、各操作ボタンが操作されることによって、数字情報、文字情報および制御部６０への指示情報などの所定の情報など、操作に応じた情報を表す信号を生成して制御部６０に与える。したがって利用者は、操作部８０の各操作ボタンを操作して、制御部６０に情報を入力することができる。
【００３１】
本実施の形態では、操作部８０は、初期設定として、アンテナ１０および前処理部２０によって受信するデジタルラジオ放送信号に含まれる文字情報のうち、所望する文字情報に関連する予め定める文字列を設定するとき、利用者によって操作される。予め定める文字列は、たとえば、気温情報に関連する「Temperature」、天気情報に関連する「Weather」である。操作部８０が操作されて設定された予め定める文字列は、記憶部７０に記憶される。
【００３２】
また操作部８０は、記憶部８０に記憶される設定情報を変更するとき、利用者によって操作される。操作部８０が操作されて設定情報の変更操作がされると、記憶部７０に記憶される設定情報が更新される。
【００３３】
さらに操作部８０は、記憶部７０に記憶される文字情報の表示装置１００における表示順序、および前記文字情報の音声出力装置９０における出力順序を設定するとき、利用者によって操作される。操作部８０が操作されて設定された前記表示順序および出力順序は、記憶部７０に記憶される。
【００３４】
表示装置１００は、透過型液晶表示素子、反射型液晶表示素子、エレクトロルミネッセンス（Electro Luminescence；略称：ＥＬ）素子および半透過半反射型液晶表示素子のうち、少なくとも１つを用いて実現される。また表示装置１００は、カラー表示可能であってもよいし、白黒表示可能であってもよい。
【００３５】
本実施の形態のアンテナ１０および前処理部２０は、受信手段に相当する。デジタル信号処理部４０および音声出力装置９０は、音声出力手段に相当する。表示装置１００は、表示手段に相当する。操作部８０は、設定手段に相当する。制御部６０は、判断手段および制御手段に相当する。記憶部７０は、記憶手段に相当する。
【００３６】
図２は、ＩＢＯＣ方式のアナログ放送搬送波（ＦＭアナログ信号）の形態を模式的に示す図であり、図３は、ＩＢＯＣ方式のアナログ放送搬送波（ＡＭアナログ信号）の形態を模式的に示す図である。
【００３７】
図２に示すように、アナログ放送搬送波（ＦＭアナログ信号）２０１の周波数帯域上の上側帯および下側帯に隣接して、それぞれデジタル放送搬送波２０２，２０３が配置されている。上側帯および下側帯デジタル放送搬送波２０２，２０３は、たとえば、ＯＦＤＭ変調された複数の副搬送波から構成され、図示されるように、ＦＭアナログ信号の中心周波数から１３０ｋＨｚ〜１９９ｋＨｚおよび−１３０ｋＨｚ〜−１９９ｋＨｚ離れたスペクトルを占領している。さらに、上側帯および下側帯デジタル放送搬送波２０２，２０３のピーク値は、ＦＭアナログ信号のピーク値に対して−２５ｄＢ／ｋＨｚに設定されている。
【００３８】
図３に示すように、アナログ放送搬送波（ＡＭアナログ信号）２１１の周波数帯域上の上側帯および下側帯に隣接して、それぞれデジタル放送搬送波２１２，２１３が配置されている。上側帯および下側帯デジタル放送搬送波２１２，２１３は、たとえば、ＯＦＤＭ変調された複数の副搬送波から構成され、図示されるように、ＡＭアナログ信号の中心周波数から５ｋＨｚ〜１５ｋＨｚおよび−５ｋＨｚ〜−１５ｋＨｚ離れたスペクトルを占領している。さらに、上側帯および下側帯デジタル放送搬送波２１２，２１３のピーク値は、ＡＭアナログ信号のピーク値に対して−２５ｄＢ／ｋＨｚに設定されている。
【００３９】
図４は、文字情報の出力処理に関する制御部６０の処理手順を示すフローチャートである。図５は、１ＤＩＮサイズの表示装置１００に表示される文字情報３００を示す図である。図６は、２ＤＩＮサイズの表示装置１００に表示される文字情報３００を示す図である。図４に示すフローチャートでは、受信装置１が、放送局から送信されるデジタルラジオ放送信号を受信する条件で、本処理が開始して、ステップａ１に移行する。
【００４０】
ステップａ１では、アンテナ１０および前処理部２０によって受信したデジタルラジオ放送信号に含まれる文字情報を取得する。文字情報を取得すると、ステップａ２に移行する。
【００４１】
ステップａ２では、ステップａ１で取得した文字情報の中に、予め設定された文字列、たとえば気温を表す文字列「Temp」が含まれているか否かを判断し、含まれていればステップａ３に移行し、含まれていなければ全ての処理手順を終了する。ステップａ３では、ステップａ１で取得した文字情報を、記憶部７０に記憶させる。文字情報を記憶部７０に記憶させると、ステップａ４に移行する。
【００４２】
ステップａ４では、操作部８０が操作されて設定情報の変更操作がされたか否かを判断し、変更操作がされたと判断した場合はステップａ５に移行し、変更操作がされていないと判断した場合はステップａ６に移行する。ステップａ５では、予め記憶部７０に記憶されている設定情報を更新する。設定情報を更新すると、ステップａ６に移行する。
【００４３】
ステップａ６では、車両に取付けられている複数のセンサから、車両の走行速度（以下「車速」という）を表す情報と、フットブレーキまたはサイドブレーキの作動状態を表す情報とを取得し、車速が０ｋｍ／ｈでかつフットブレーキまたはサイドブレーキがオン状態であるか否かを判断する。ステップａ６において、車速が０ｋｍ／ｈでかつフットブレーキまたはサイドブレーキがオン状態という条件を満たしていれば、車両が停車または停止していると判断してステップａ７に移行し、前記条件を満たしていなければ、車両が走行していると判断してステップａ８に移行する。ここで、フットブレーキがオン状態とは、フットブレーキペダルが踏み込まれた状態を意味し、サイドブレーキがオン状態とは、サイドブレーキレバーが引かれて、車両が停止状態に保持された状態を意味する。
【００４４】
ステップａ７では、記憶部７０に記憶されている設定情報、たとえば文字情報の表示装置１００における表示位置、表示時間および表示装置１００の種別を表す情報に基づいて、記憶部７０に記憶された文字情報を画像として表示装置１００に表示する。
【００４５】
表示装置１００のサイズが、たとえば１ＤＩＮサイズの場合、図５に示すように、文字情報３００は、その種類に応じて予め定められる表示位置に表示される。文字情報３００の具体的な一表示例としては、図５に示すように、「Boston」、「Temp71.3」、「10:20AM」という文字情報３００、すなわちボストンの午前１０時２０分における気温が華氏７１．３度であることを表す文字情報３００が、表示装置１００の右上端部に画像として表示され、「Artist:****」という文字情報３００、すなわち放送中の楽曲の演奏者名を表す文字情報３００が、表示装置１００の左中央部に画像として表示される。また１ＤＩＮサイズの表示装置１００では、たとえば図５に示すように、表示装置１００の下端部にスクロール表示領域３１０が設けられ、このスクロール表示領域３１０には、受信したデジタルラジオ放送信号に含まれる文字情報がスクロールされて画像として表示される。
【００４６】
表示装置１００のサイズが、たとえば２ＤＩＮサイズの場合、図６に示すように、たとえばＤＶＤなどの記録媒体に記録されている映像情報が再生されて、表示装置１００に映像情報を表す映像が表示されているとき、「Boston」、「Temp71.3」、「10:20AM」という文字情報３００は、前記映像が表示されている表示装置１００の右上端部に画像として、たとえば予め定める表示時間が経過するまで半透明で表示される。
【００４７】
表示装置１００に映像が表示されているときの文字情報３００の画像としての表示は、前述のような半透明表示に限定されず、たとえば文字情報３００を表す画像を、前記映像情報を表す画像の一部分に重畳して表示する、いわゆるポップアップ表示によって実現されてもよい。文字情報３００を画像として表示装置１００に半透明表示またはポップアップ表示してから予め定める表示時間が経過すると、画像として表示装置１００に表示された文字情報３００は、表示装置１００から消去されて非表示となる。
【００４８】
ステップａ７において、文字情報３００を画像として表示装置１００に表示し、予め定める表示時間が経過すると、全ての処理手順を終了する。
【００４９】
ステップａ８では、記憶部７０に記憶された文字情報を音声として音声出力装置９０から出力する。ステップａ８において、文字情報を音声として音声出力装置９０から出力した後は、全ての処理手順を終了する。
【００５０】
前述のように本実施の形態のデジタル放送受信装置１、ラジオ放送受信ユニット２およびデジタル放送受信システム３によれば、車両の走行状態に応じて、記憶部７０に記憶される文字情報が画像として表示装置１００に表示されるか、または記憶部７０に記憶される文字情報が音声として音声出力装置９０から出力される。具体的な一例を述べると、車両の走行状態として、たとえば車両が停車または停止しているときは、記憶部７０に記憶されている文字情報が画像として表示装置１００に表示される。たとえば、車両が交差点で停止したとき、路側帯に停車したとき、駐車場に停車したときに、記憶部７０に記憶されている文字情報が画像として表示装置１００に表示される。本実施の形態では、車速が０ｋｍ／ｈでかつフットブレーキまたはサイドブレーキがオン状態という条件を満たしているとき、車両が停車または停止していると判断する。また車両の走行状態として、たとえば車両が走行しているときは、記憶部７０に記憶されている文字情報が音声として音声出力装置９０から出力される。本実施の形態では、車速が０ｋｍ／ｈでかつフットブレーキまたはサイドブレーキがオン状態という条件を満たしていないとき、車両が走行していると判断する。
【００５１】
このように車両の走行状態に応じて、具体的には車両が停車または停止しているか否かに応じて、文字情報の利用者への報知の仕方を変えているので、利用者、たとえば車両の運転者の運転操作の妨げになることを防ぎつつ、運転者が所望する文字情報を、運転者に確実かつ容易に報知することができる。
【００５２】
また本実施の形態のデジタル放送受信装置１、ラジオ放送受信ユニット２およびデジタル放送受信システム３によれば、ＤＶＤなどの記録媒体に記録されている映像情報が再生されて、表示装置１００に映像情報を表す映像が表示されているとき、文字情報は、前記映像が表示されている表示装置１００に画像として、予め定める表示時間が経過するまで半透明で表示されたり、ポップアップ表示されたりする。したがって利用者は、前記従来の技術とは異なり、取得した文字情報を見るために、取得した文字情報を表示させるための表示画面の切換え操作のような煩雑な操作をする必要がないので、文字情報を容易に確認することができる。これによって利用者の利便性を向上することができる。
【００５３】
また本実施の形態のデジタル放送受信装置１、ラジオ放送受信ユニット２およびデジタル放送受信システム３によれば、一旦、記憶部７０に記憶された文字情報は、新たな文字情報が取得されるまで、記憶部７０に記憶されるので、利用者は、操作部８０を操作することによって、必要に応じて記憶部７０に記憶された文字情報を表示装置１００に表示させたり、音声出力装置９０から出力させたりすることができる。したがって利用者は、文字情報が表示装置１００に表示されているときに見逃してしまったり、音声出力装置９０から出力されているときに聞き逃してしまったりした場合でも、前記従来技術とは異なり、見逃したり、聞き逃してしまった文字情報を、再度、表示装置１００に表示させたり、音声出力装置９０から出力させることによって、確認することができる。これによって利用者の利便性を向上することができる。
【００５４】
また本実施の形態のデジタル放送受信装置１、ラジオ放送受信ユニット２およびデジタル放送受信システム３によれば、利用者は、操作部８０を操作することによって、記憶部７０に記憶される文字情報の表示装置１００における表示位置、表示時間および表示装置１００のサイズ種別を含む設定情報を設定することができる。利用者によって、前記表示位置、表示時間および表示装置１００のサイズ種別のうちの少なくともいずれか１つが設定されると、この設定された設定情報に基づいて、記憶部７０に記憶されている文字情報が画像として表示装置１００に表示される。したがって利用者は、所望する文字情報の表示装置１００における表示位置、表示時間および表示装置１００のサイズ種別を好みに応じて容易に設定することができ、利便性を向上することができる。
【００５５】
また本実施の形態のデジタル放送受信装置１、ラジオ放送受信ユニット２およびデジタル放送受信システム３によれば、利用者は、操作部８０を操作することによって、記憶部７０に記憶されている文字情報の表示装置１００における表示順序、および前記文字情報の音声出力装置９０における出力順序を設定することができる。利用者によって前記表示順序が設定されたときは、設定された表示順序に基づいて、記憶部７０に記憶されている文字情報が画像として表示装置１００に表示される。また利用者によって前記出力順序が設定されたときは、設定された出力順序に基づいて、記憶部７０に記憶されている文字情報が音声として音声出力装置９０から出力される。
【００５６】
したがって利用者が所望する文字情報を、利用者によって設定された表示順序で表示装置１００に表示させることができ、または利用者によって設定された出力順序で音声出力装置９０から出力させることができる。これによって利用者の利便性を向上することができる。
【００５７】
また本実施の形態のデジタル放送受信装置１、ラジオ放送受信ユニット２およびデジタル放送受信システム３によれば、受信した放送信号に含まれる文字情報は、複数の文字列から成る予め定めるパターン（以下「定型パターン」という）として記憶部７０に記憶される。定型パターンに、利用者によって設定された予め定める文字列が含まれていない場合は、その定型パターンの前または後に、文字情報に対応した予め定める文字列が付加されて記憶部７０に記憶される。定型パターンは、利用者によって任意に設定することができる。
【００５８】
記憶部７０に記憶された文字情報を表示装置１００または音声出力装置９０によって出力されるとき、前記文字情報は、定型パターンに含まれる前記利用者によって設定された予め定める文字列または前記文字情報に対応した予め定める文字列に基づいて検索され、記憶部７０から読み出される。
【００５９】
受信した放送信号に含まれる文字情報が、たとえば「Boston Temperature 71.3 at 10:20:47 AM」のような気温情報の場合、定型パターンは、「地域」、「Temperature」、「温度」、「at」および「時刻」の各文字列から成り、記憶部７０には、地域、温度および時刻の３種類のデータが文字列「Temperature」と関連付けられて記憶される。気温情報が表示装置１００または音声出力装置９０によって出力されるときは、文字列「        Temperature」をキーにして前後のデータ、ここでは地域、温度および時刻の各データが記憶部７０から読み出される。文字情報が気温情報の場合の定型パターンは、「地域」、「Temperature」、「温度」、「at」および「時刻」の各文字列から成るものに限らず、利用者によって設定変更することができる。
【００６０】
受信した放送信号に含まれる文字情報が、たとえば「Detroit Weather Partly Cloudy」のような天気情報の場合、定型パターンは、「地域」、「Weather」および「天気概要」の各文字列から成り、記憶部７０には、地域および天気概要の２種類のデータが文字列「Weather」と関連付けられて記憶される。天気情報が表示装置１００または音声出力装置９０によって出力されるときは、文字列「Weather」をキーにして前後のデータ、ここでは地域および天気概要の各データが記憶部７０から読み出される。文字情報が天気情報の場合の定型パターンは、「地域」、「Weather」および「天気概要」の各文字列から成るものに限らず、利用者によって設定変更することができる。
【００６１】
受信した放送信号に含まれる文字情報が、たとえば「Nasdaq 2511.11 -64.73」のような株価情報の場合、定型パターンは、「SYMBOL」、「LAST」および「CHANGE」の各文字列から成り、記憶部７０には、銘柄、終値および変更値の３種類のデータが記憶される。このとき、定型パターンには、利用者によって設定された文字列が含まれていないので、その定型パターンの前または後に、文字情報に対応した予め定める文字列、たとえば「    Trade」または「Finance」が付加されて記憶部７０に記憶される。株価情報が表示装置１００または音声出力装置９０から出力されるときは、文字列「Trade」または「Finance」をキーにして前または後のデータ、ここでは銘柄、終値および変更値の各データが記憶部７０から読み出される。
【００６２】
また、たとえば「Partly Cloudy」および「Mostly Sunny」のような予め定める天気を表す情報が文字情報として記憶部７０に記憶されている場合、予め定める天気を表す情報を記号に変換して、記憶部７０に記憶しておき、予め定める時間経過後に受信した放送信号に含まれる前記天気を表す情報と比較して異なっているときに、予め定める時間経過前後の前記天気を表す情報に対応する記号の間に矢印「→」を挿入して、天気の移り変わりを表示するようにしてもよい。
【００６３】
また本実施の形態のデジタル放送受信装置１、ラジオ放送受信ユニット２およびデジタル放送受信システム３によれば、記憶部７０に記憶された文字情報は、リアルタイムで表示装置１００に表示させてもよいし、リアルタイムで読み上げて音声出力装置９０から出力させてもよい。また利用者による操作部８０の操作、音声認識による操作などに基づいて、記憶部７０に記憶された文字情報を表示装置１００に表示させるか、または音声出力装置９０から出力させるようにしてもよい。また記憶部７０に記憶された文字情報を、他の記録媒体に記録可能に構成されてもよい。
【００６４】
前述の実施の形態は、本発明の例示に過ぎず、本発明の範囲内において本発明の構成を変更することができる。前述の実施の形態では、表示位置をカーステレオまたはナビゲーション装置の表示部として説明したが、たとえば計器内のインジケータまたはフロントウインドに投影させるヘッドアップディスプレイに表示させてもよい。
【図面の簡単な説明】
【００６５】
【図１】本発明の実施の一形態のデジタルラジオ放送受信装置１の電気的構成を示すブロック図である。
【図２】ＩＢＯＣ方式のアナログ放送搬送波（ＦＭアナログ信号）の形態を模式的に示す図である。
【図３】ＩＢＯＣ方式のアナログ放送搬送波（ＡＭアナログ信号）の形態を模式的に示す図である。
【図４】文字情報の出力処理に関する制御部６０の処理手順を示すフローチャートである。
【図５】１ＤＩＮサイズの表示装置１００に表示される文字情報３００を示す図である。
【図６】２ＤＩＮサイズの表示装置１００に表示される文字情報３００を示す図である。
【符号の説明】
【００６６】
１  デジタルラジオ放送受信装置
２  ラジオ放送受信ユニット
３  デジタルラジオ放送受信システム
１０  アンテナ
２０  前処理部
３０  中間周波フィルタ回路
４０  デジタル信号処理部
５０  ＩＢＯＣ処理部
６０  制御部
７０  記憶部
８０  操作部
９０  音声出力装置
１００  表示装置
３００  文字情報
【図１】
2009055487.tif 000003
【図２】
2009055487.tif 000004
【図３】
2009055487.tif 000005
【図４】
2009055487.tif 000006
【図５】
2009055487.tif 000007
【図６】
2009055487.tif 000008